(57)【要約】【課題】使用後に缶体内の底部側に残留する水分量を低下させ易く、底部側の腐食による劣化を防止し易いオートクレーブを提供する。【解決手段】収容口１３及び収容口１３を開閉する蓋１５を有する缶体１０と、缶体１０内を減圧する真空ポンプ２０と、缶体１０内に水蒸気を供給する水蒸気供給装置３０と、缶体１０内と連通して弁７５を有する排水管路４０と、缶体１０内と連通して弁８５を有する降圧管路５０とを備えたオートクレーブであり、缶体１０の下方に排水管路４０へのドレン水の流入部６０と降圧管路５０への蒸気の流入部６０とを設けている。【選択図】図１
2009241027.tif 000002
【特許請求の範囲】
【請求項１】
収容口及び前記収容口を開閉する蓋を有する缶体と、前記缶体内を減圧する真空ポンプと、前記缶体内に水蒸気を供給する水蒸気供給装置と、前記缶体内と連通して弁を有する排水管路と、前記缶体内と連通して弁を有する降圧管路とを備えたオートクレーブであり、
前記缶体の下方に前記排水管路へのドレン水の流入部と前記降圧管路への蒸気の流入部とを設けたことを特徴とするオートクレーブ。
【請求項２】
前記排水管路の流入部と前記降圧管路の流入部とは、前記缶体底部に開口する共通管路からなり、前記共通管路の下流に前記排水管路の排出部と前記降圧管路の排出部とを分枝して設けたことを特徴とする請求項１に記載のオートクレーブ。
【請求項３】
前記共通管路と前記排水管路の排出部及び前記降圧管路の排出部との分岐部に気液分離部を設けたことを特徴とする請求項２に記載のオートクレーブ。
【請求項４】
前記共通管路は、前記缶体底部の複数位置に均等に開口する複数の部分共通管路と、前記複数の部分共通管路の合流部とを備え、前記排水管路の排出部及び前記降圧管路の排出部は、前記合流部の下流側に設けたことを特徴とする請求項２又は３に記載のオートクレーブ。
【発明の詳細な説明】
【技術分野】
【０００１】
本発明は、水蒸気供給装置から缶体に水蒸気が供給され、排水管路及び降圧管路からドレン水及び蒸気が排出されるオートクレーブに関する。
【背景技術】
【０００２】
従来、電柱、ＡＬＣパネル等の製造時の養生処理などには、大型のオートクレーブが使用されている（例えば、特許文献１、２参照）。
【０００３】
特許文献１のオートクレーブは、図５に示すように、処理対象物１１１を収容及び取出可能な缶体１１０と、缶体１１０内に水蒸気を供給する水蒸気供給装置１３０と、真空ポンプ１２０と、ドレン水除去手段１４０と、缶体１１０の頂部に開口して設けられた降圧配管１５３と、降圧管路１５０とを備えている。
【０００４】
缶体１１０は、処理対象物１１１を出し入れするための収容口１１３と、収容口１１３を開閉する蓋１１５とを備える。真空ポンプ１２０は、真空ポンプ本体１２１と、真空ポンプ本体から缶体１１０までの減圧配管１２３と、減圧配管１２３を開閉する真空制御弁１２５とを備える。水蒸気供給装置１３０は、ボイラ等の水蒸気発生源１３１と、水蒸気発生源１３１から缶体１１０までの蒸気配管１３３と、蒸気配管１３３を開閉する蒸気弁１３５とを備える。
【０００５】
ドレン水除去手段１４０は、減圧時に生じるドレン水を排出するもので、減圧配管１２３から下方に分岐して設けられた排水配管１４３と、排水配管１４３を開閉する電動弁からなるドレン水除去弁１４５とを備える。降圧管路１５０は、缶体１１０内を大気開放して蒸気を排出するもので、缶体１１０の頂部に開口して設けられた降圧配管１５３と、降圧配管１５３を開閉する排気弁１５５とを備える。
また、特許文献２で示すオートクレーブは、図６に示すように、処理対象物１１１を収容及び取出可能な缶体１１０と、缶体１１０内の気体を撹拌するファン装置２１０と、缶体１１０内に水蒸気を供給する水蒸気供給装置１３０に接続される蒸気配管１３３と、缶体１１０から蒸気を排出して降圧させる降圧管路１５０と、間接加熱装置２３０とを備える。
【０００６】
このようなオートクレーブで例えば養生処理を行うには、特許文献１で示すオートクレーブでは、処理対象物１１１を缶体１１０内に収容して蓋１１５を閉塞した後、最初に排気弁１５５のみが開いた状態で、蒸気弁１３５を開いて蒸気配管１３３から飽和水蒸気を缶体１１０内に供給するとともに降圧管路１５０から缶内の空気を排出し、缶内の空気を蒸気と置換する。その後、蒸気弁１３５、排気弁１５５を閉じて真空ポンプ１２０で缶内を真空引きして減圧した後、真空制御弁１２５を閉じ、蒸気弁１３５を開いた状態で蒸気配管１３３から飽和水蒸気を供給して缶体１１０内を昇温及び昇圧する。このとき、凝縮により生じるドレン水は缶体１１０の底部に滞留する。そして、所定の圧力及び温度を所定時間維持して養生処理を行う。
【０００７】
また、特許文献２で示すオートクレーブでは、処理対象物１１１を缶体１１０内に収容して蓋１１５を閉塞した後、最初に弁１５５を開いた状態で、蒸気配管１３３から飽和水蒸気を缶体１１０内に供給するとともに降圧管路１５０から缶内の空気を排出し、缶内の空気を蒸気と置換する。その後、弁１５５を閉じた状態で蒸気配管１３３から飽和水蒸気を供給して缶体１１０内を昇温及び昇圧する。このとき、凝縮により生じるドレン水は缶体１１０の底部に滞留する。そして、所定の圧力及び温度を所定時間維持して養生処理を行う。
【０００８】
処理終了後、特許文献１で示すオートクレーブでは、排気弁１５５を開いて降圧管路１５０により缶体１１０内の蒸気を大気放出して降圧する。その後排気弁１５５を閉じ、真空制御弁１２５を開いた状態で、真空ポンプ本体１２１で真空引きされることにより処理対象物１１１を降温するとともに発生したドレン水をドレン水除去手段１４０により排出する。缶体１１０内の圧力を大気圧まで昇圧した後、蓋１１５を開いて処理対象物１１１を缶体１１０から取り出すようにしている。
また、特許文献２で示すオートクレーブでは、弁１５５を開いて降圧管路１５０により缶体１１０内の蒸気を大気放出して降圧する。缶体１１０内の圧力を大気圧まで降圧した後、蓋１１５を開いて処理対象物１１１を缶体１１０から取り出すようにしている。
【特許文献１】特許第３４４３２１４号公報
【特許文献２】実開平５−５６２３５号公報
【発明の開示】
【発明が解決しようとする課題】
【０００９】
しかしながら、このようなオートクレーブの場合、処理終了後の降圧時には、放熱に伴う熱対流により位置の高低に応じた温度分布が生じる上に、缶体１１０内が降圧することで、底部でドレン水の再蒸発が起こり、底部側では蒸気が湿潤状態となり易いと共に、潜熱が奪われて温度が低下し易い。一方、頂部側では、蓄熱された処理対象物１１１や缶体１１０に接触して蒸気が加熱され、底部側に比べて温度が低下し難く、過熱状態となり易い。そのため、底部側には低温で湿った湿潤蒸気が滞留し易く、頂部側には底部側に比べて高温の乾燥蒸気が滞留し易い。
【００１０】
また、缶体１０の降圧後は、ドレン水は重力により流下するだけであるため、缶体１１０の底部にドレン水が残留し易かった。一方、特許文献１で示すオートクレーブでは、処理後にも缶内を真空引きすることで再蒸発した一部の水蒸気が凝縮したものをドレン水としてドレン水除去手段１４０から排出することができるようにしているが、処理動作が煩雑となる割には、缶底部に滞留するドレン水は依然として缶体１１０内に残留し易かった。
【００１１】
その結果、缶体１１０の底部側では、最終的に残留する水分量が頂部側に比べて多く、常に缶体１１０の底部側が湿潤状態に保たれて、錆や腐食による設備の劣化が生じ易いという問題点があった。
【００１２】
本発明は前記問題に鑑みてなされたものであり、使用後に缶体内の底部側に残留する水分量を低下させ易く、底部側の腐食による劣化を防止し易いオートクレーブを提供することを目的とする。
【課題を解決するための手段】
【００１３】
前記課題を解決するため、請求項１に係るオートクレーブは、収容口及び前記収容口を開閉する蓋を有する缶体と、前記缶体内を減圧する真空ポンプと、前記缶体内に水蒸気を供給する水蒸気供給装置と、前記缶体内と連通して弁を有する排水管路と、前記缶体内と連通して弁を有する降圧管路とを備えたオートクレーブであり、前記缶体の下方に前記排水管路へのドレン水の流入部と前記降圧管路への蒸気の流入部とを設けて構成したものである。
【００１４】
このような構成によれば、排水管路へのドレン水の流入部と降圧管路への蒸気の流入部とが缶体の下方に設けられているので、処理終了後にドレン水及び蒸気を排出して缶体内を降圧する際、底部に滞留するドレン水と底部側に存在する低温の湿潤蒸気とを先に排出し、頂部側に存在する底部側より高温の乾燥蒸気をその後で排出することが可能である。そのため、降圧後に缶体底部にドレン水が残留し難く、底部側に存在する低温の湿潤蒸気をより多く排出させ易く、缶体底部を乾燥させ易い。
【００１５】
請求項２に係るオートクレーブは、前記排水管路の流入部と前記降圧管路の流入部とは、前記缶体底部に開口する共通管路からなり、前記共通管路の下流に前記排水管路の排出部と前記降圧管路の排出部とを分枝して設けて構成したものである。
【００１６】
このような構成によれば、缶体内を降圧する際、共通管路から底部に滞留するドレン水や底部側に存在する低温の湿潤蒸気を先に排出し、その後、同じ共通管路から頂部側に存在する底部側より高温の乾燥蒸気を排出することが可能である。そのため、共通管路内にドレン水や湿潤蒸気が残留し難く、共通管路を乾燥させ易い。
【００１７】
また、共通管路を排水管路の流入部と降圧管路の流入部として共用することができ、管路を構成する配管の部品点数を抑えることができる。しかも、排水管路の蒸気トラップ等の部品を、降圧管路の部品として利用することができる。そのため、管路の構成を簡略化することが可能である。
【００１８】
請求項３に係るオートクレーブは、前記共通管路と前記排水管路の排出部及び前記降圧管路の排出部との分岐部に気液分離部を設けて構成したものである。
【００１９】
このような構成によれば、缶体内から共通管路により排出されたドレン水及び蒸気を気液分離部でドレン水と気体とに確実に分離できるので、降圧管路の排出部に蒸気トラップを設けなくても気体を確実に降圧管路の排出部に排出でき、管路の構成を簡略化できる。
【００２０】
請求項４に係るオートクレーブは、前記共通管路は、前記缶体底部の複数位置に均等に開口する複数の部分共通管路と、前記複数の部分共通管路の合流部とを備え、前記排水管路の排出部及び前記降圧管路の排出部は、前記合流部の下流側に設けて構成したものである。
【００２１】
このような構成によれば、缶体底部の均等な複数位置からドレン水及び蒸気を底部の広い範囲から排出することができるので、缶体底部に残留するドレン水や、缶体の底部側に存在する低温の湿潤蒸気をより多く排出することができる。
【発明の効果】
【００２２】
本発明のオートクレーブによれば、処理終了後にドレン水及び蒸気を排出して缶体内を降圧することで、缶体の底部側のドレン水や低温の湿潤蒸気をより多く排出させることができるため、缶体の底部側に最終的に残留する水分量を少なく抑えることができ、底部側の腐食による劣化を防止し易い。
【発明を実施するための最良の形態】
【００２３】
［第１の実施の形態］
以下、本発明を実施するための最良の形態について、図面を用いて説明する。
図１は、この実施の形態のオートクレーブを示す系統図であり、図２は缶体の断面図である。
【００２４】
＜オートクレーブ＞
この実施の形態では養生処理に仕様するオートクレーブについて説明する。オートクレーブは、図１に示すように、処理対象物１１を収容する缶体１０と、缶体１０内を減圧する真空ポンプ２０と、缶体１０内に水蒸気を供給する水蒸気供給装置３０と、缶体１０の底部に開口し、排水管路４０及び降圧管路５０の一部を構成する共通管路６０と、共通管路６０の下流側に分岐して設けられた排水管路４０の排出部７０及び降圧管路５０の排出部８０と、排出部７０の排出端７３に設けられた消音水槽９０とを備える。
【００２５】
＜缶体＞
缶体１０は、処理対象物１１を収容可能な圧力容器であり、図１に示すように、一方の側部に処理対象物１１を出し入れするための収容口１３を有する缶体本体１２と、収容口１３を開閉する蓋１５とを備える。第１の実施の形態では、内部空間の容積が１８０ｍ３以上となるような大きさとなっている。符号１０ａは安全弁である。
【００２６】
缶体１０の内部には、図２に示すように、出入れ方向に延びる一対のレール１４と、一対のレール１４間に配置された受け台１６とが設けられている。この内部空間は、処理対象物１１を載置する養生容器１７と、養生容器１７を支持してレール１４上で転動可能な車輪１８を備えた枠体１９とが、レール１４に沿って収容される構造となっている。
【００２７】
この缶体１０の内部では、養生処理時に水蒸気の凝縮による多量のドレン水が生成される。特に、処理対象物１１の昇温時には多量に生成される。生成されたドレン水は重力により流下し、缶体１０内に滞留する。また、缶体１０内に発生する湿潤蒸気が滞留する領域を図２に符号Ａで示す。本発明では、この湿潤蒸気が滞留する領域Ａの缶体１０の内面を缶体１０の下方の部分とし、下方の部分の一番低い部分を缶体１０の底部とする。
【００２８】
なお、缶体１０内に滞留するドレン水は、純水であってもよいが、多くの場合、処理対象物１１に含まれた水溶性成分又は水和反応により生じた水溶性成分等が溶解された水溶液、懸濁成分が分散された分散液、不溶性成分が混合された混合液などとなる。
【００２９】
＜真空ポンプ＞
真空ポンプ２０は、図１に示すように、真空ポンプ本体２１と、真空ポンプ本体２１から缶体１０までの減圧配管２３と、減圧配管２３を開閉する電動弁２５とを備える。この真空ポンプ２０は、処理対象物１１が収容されて蓋１５で閉塞された缶体１０の内部空間に存在する空気を排出し、内部を減圧することで、水蒸気供給装置３０から供給される水蒸気の熱交換効率を向上させると共に、処理対象物１１の内部の間隙等に水蒸気が到達し易くし、養生処理の効率を向上させるためのものである。
【００３０】
＜水蒸気供給装置＞
水蒸気供給装置３０は、養生処理のための熱量や水分を缶体１０内に供給するためのもので、図１に示すように、所定温度及び圧力の飽和水蒸気を生成可能な水蒸気発生源３１と、水蒸気を水蒸気発生源３１から缶体１０まで移送する蒸気配管３３と、蒸気配管３３を開閉する圧力調整弁３５とを備える。圧力調整弁３５は、所定圧力で蒸気を缶体１０内に供給するように開閉される。
【００３１】
＜共通管路＞
共通管路６０は、排水管路４０及び降圧管路５０の流入部を構成するもので、缶体１０の底部の複数位置にそれぞれ開口する複数の部分共通管路６１と、複数の部分共通管路６１が合流する複数の合流部６３とを備えた配管からなる。
【００３２】
排水管路４０は、缶体１０内のドレン水を排出するための管路であり、降圧管路５０は、大気開放することで、缶体１０内の加圧蒸気を主として排出し、缶体１０内の圧力を大気圧まで降圧するための管路である。共通管路６０は、排水管路４０と降圧管路５０とに共用されるもので、ドレン水及び加圧蒸気を移送する管路となっている。
【００３３】
各部分共通管路６１の開口６２は、缶体１０の底部に開口するものであればよいが、好ましくは缶体１０の底部の最低位置に開口すれば、滞留するドレン水をより多く排出し易くて好適である。
【００３４】
なお、共通管路６０は、缶体１０の底部の１箇所に開口した単数の配管からなるものであっても使用可能である。
【００３５】
＜排水管路及び降圧管路の排出部＞
排水管路４０の排出部７０及び降圧管路５０の排出部８０は、共通管路６０の下流に分岐部６５において分岐して設けられている。
【００３６】
排水管路４０の排出部７０は、分岐点７１で複数の分岐排出部７２に分岐されてそれぞれに排出端７３が設けられた排出部排水配管７４と、排出部排水配管７４の分岐部６５から分岐点７１までの間に設けられて排出部排水配管７４を開閉する電動弁７５と、分岐排出部７２にそれぞれ設けられた蒸気トラップ７６と、各蒸気トラップ７６と各排出端７３との間に設けられた消音器７７とを備えており、各排出端７３は消音水槽９０内にドレン水を排出して貯留するように開口されている。
【００３７】
この排水管路４０の排出部７０は、オートクレーブ稼働時に缶体１０の内圧が大気圧より大きくなった時点で、電動弁７５を開放することで、ドレン水だけを蒸気トラップ７６から流下させて、排出端７３から消音水槽に排出できる。なお、定期的に電動弁７５を開放したり、缶体１０内のドレン水の水位が所定値以上になった時点で電動弁７５を開放してもよい。
【００３８】
一方、降圧管路５０の排出部８０は、分岐点８１で複数の分岐排出部８２ａ、８２ｂに分岐されてそれぞれに排出端８３ａ、８３ｂが設けられた排出部降圧配管８４と、排出部降圧配管８４の分岐部６５から分岐点８１までの間に設けられて排出部降圧配管８４の上流位置を開閉する電動弁８５とを備える。分岐排出部８２ａは、分岐点８１の下流側に設けられ、分岐排出部８２ａを開閉する圧力調整弁８６を備える。分岐排出部８２ａの排出端８３ａは、消音水槽９０内の貯留されたドレン水内に配置され、多数の排出開口８７が設けられている。また、分岐排出部８２ｂは、分岐点８１の下流側に設けられ、分岐排出部８２ｂを開閉する電動弁８８を備える。分岐排出部８２ｂの排出端８３ｂは消音器８９を備える。
【００３９】
この降圧管路５０の排出部８０は、養生処理が終了後、缶体１０内を大気開放する時点で電動弁８５を開放することで、缶体１０内の加圧蒸気を流下させて大気放出させる。缶体１０内の圧力が高い期間は、圧力調整弁８６を開いて電動弁８８を閉じることで、流下される加圧蒸気を分岐排出部８２ａの排出端８３ａから消音水槽９０内のドレン水中に排出し、缶体１０内の圧力が十分に降下した時点で、電動弁８８を開いて分岐排出部８２ｂの排出端８３ｂから直接大気中に排出することができる。
【００４０】
＜消音水槽＞
消音水槽９０は、排水管路４０の排出部７０から排出されるドレン水を貯留する大気開放された容器からなる。消音水槽９０内にドレン水が貯留された状態で、降圧管路５０の排出部８０に流下した蒸気を、ドレン水中に配置された分岐排出部８２ａの排出端８３ａから多数の排出開口８７を通して排出することで、排出時の音を消音する。
なお、消音水槽９０に貯留されたドレン水は、その後、排出路９１から排出される。
【００４１】
＜養生処理＞
次に、このオートクレーブを用いて養生処理を行う方法について説明する。
養生処理は、処理対象物１１を缶体１０内に収容する収容工程と、缶体１０内を減圧する減圧工程と、缶体１０内及び処理対象物１１を所定温度まで昇温すると共に所定圧力まで昇圧する昇圧工程と、缶体１０内を所定温度及び圧力に所定時間維持する保温工程と、所定時間経過後に缶体１０内の圧力を大気圧まで降圧する降圧工程と、缶体１０内の処理対象物１１を取出す取出し工程とを備える。
【００４２】
以下に、各工程を詳細に説明する。理解容易のために、内部空間の容積が１８０ｍ３の缶体１０を用いて、体積が略７５ｍ３のシリカを主成分としたカルシウムを含む造粒物の養生処理を行う具体例を併せて説明する。
【００４３】
＜収容工程＞
処理対象物１１を載置した養生容器１７が、枠体１９に支持された状態で搬送される。缶体１０の蓋１５を開放し、枠体１９をレール１４に沿って缶体本体１２に収容する。その後、蓋１５を閉塞して完了する。
【００４４】
＜減圧工程＞
各弁３５、７５、８５を閉じた状態で、真空ポンプ２０により缶体１０内を真空引きして減圧する。減圧は処理対象物１１に影響がない限り、出来るだけ低い圧力とするのが好ましい。具体例の場合、１００Ｔｏｒｒとした。減圧工程には０．５ｈを要した。
【００４５】
＜昇圧工程＞
弁２５、７５、８５を閉じた状態で、水蒸気供給装置３０から飽和水蒸気を缶体１０内に供給することで、処理対象物１１を昇温して缶体１０内を昇圧する。飽和水蒸気が凝縮することで、潜熱により昇温させると共に、ドレン水が生成されて缶体１０の底部に滞留する。
【００４６】
昇温及び昇圧が進み、缶体１０に設けられた図示しない圧力センサ等により缶体１０内の圧力を検出し、缶体１０内の圧力が大気圧を超えた時点で、弁７５を開き、共通管路６０及び排出部７０からなる排水管路４０によりドレン水の排出を開始する。ドレン水の排出中は、蒸気トラップ７６により缶体１０内の蒸気の排出は規制される。ドレン水は排出部７０の各排出端７３から排出され、消音水槽９０に貯留される。
【００４７】
これを継続することで、処理対象物１１の温度及び缶体１０内の圧力を所定の温度及び圧力に到達させる。水蒸気供給装置３０から飽和水蒸気のみが供給されているため、例えば内圧が所定の飽和水蒸気圧に達することで、所定の温度及び圧力に到達した時点を検出することが可能である。この温度及び圧力は、水蒸気発生源３１で生成される飽和水蒸気の温度及び圧力である。
【００４８】
具体例の場合、所定温度を１９２℃とし、所定圧力を１．２ＭＰａＧとした。昇圧工程には１．０ｈ要した。
【００４９】
＜保温工程＞
水蒸気供給装置３０からの飽和水蒸気の供給量を調整しつつ、缶体１０内を所定の温度及び圧力で所定時間維持することで、処理対象物１１の所望の養生処理を完了する。
具体例の場合、処理対象物の種類に応じて保温工程の時間を調整し、２〜１０ｈ要した。
【００５０】
＜降圧工程＞
水蒸気供給装置３０からの飽和水蒸気の供給を停止し、共通管路６０及び排出部８０からなる降圧管路５０により、缶体１０内の加圧蒸気を排出する。まず、弁８５を開放し、弁８８を閉じ、弁８６を開いた状態として、分岐排出部８２ａにより加圧蒸気を消音水槽９０内の排出開口８７から徐々に放出する。缶体１０内の圧力が大気圧付近まで低下した後、弁８８を開き、分岐排出部８２ｂから直接大気へ放出する。
【００５１】
この降圧途中では、底部でドレン水の再蒸発が起こり、底部側の蒸気が湿潤状態となり、また、潜熱が奪われて温度が低下する。一方、頂部側では、蓄熱された処理対象物１１や缶体１０に接触して蒸気が加熱され、底部側に比べて温度が高い過熱状態となる。そのため、底部側に低温で湿った湿潤蒸気が滞留し、頂部側に底部側に比べて高温の乾燥蒸気が滞留した状態となっている。それ故、この降圧工程では、缶体１０下方の共通管路６０からドレン水が排出されつつ低温で湿った湿潤蒸気が排出され、その後、高温の乾燥蒸気が排出される。
【００５２】
そして、缶体１０内を大気圧まで降圧し、必要に応じて、放熱させて所定温度まで降温することで、降圧工程を完了する。
具体例の場合、降圧工程に１．０ｈ要した。
【００５３】
＜取出し工程＞
収容工程とは逆の手順で、処理対象物１１を載置した養生容器１７を、枠体１９と共に取りだして搬出する。
これにより、養生処理を完了することができる。
【００５４】
以上のようなオートクレーブによれば、排水管路４０へのドレン水の流入部であると共に降圧管路５０への蒸気の流入部である共通管路６０が缶体１０の下方に設けられているので、養生処理終了後にドレン水及び蒸気を排出して缶体１０内を降圧する際、底部に滞留するドレン水と底部側に存在する低温の湿潤蒸気とを先に排出し、頂部側に存在する底部側より高温の乾燥蒸気をその後で排出することが可能である。そのため、降圧後に缶体１０の底部にドレン水が残留し難く、また、底部側に存在する低温の湿潤蒸気をより早く排出させ易く、缶体１０底部を乾燥させ易い。その結果、缶体１０の底部側に最終的に残留する水分量を少なく抑えて、底部側の腐食による劣化を防止し易い。
【００５５】
また、排水管路４０の流入部と降圧管路５０の流入部とが、缶体１０の底部に開口する共通管路６０からなり、共通管路６０の下流に排水管路４０の排出部７０と降圧管路５０の排出部８０とを分枝して設けているので、缶体１０内を降圧する際、底部に滞留するドレン水や底部側に存在する低温の湿潤蒸気を先に排出し、その後、頂部側に存在する底部側より高温の乾燥蒸気を排出することが可能である。そのため、共通管路６０内にドレン水や湿潤蒸気が残留し難く、共通管路６０内を乾燥させ易い。その結果、残留する水分量を少なく抑えることで、排水管路４０の流入部及び降圧管路５０の流入部の腐食による劣化を防止し易い。
【００５６】
更に、共通管路６０を排水管路４０の流入部と降圧管路５０の流入部として共用することで、管路を構成する配管の部品点数を抑えることができる。しかも、排水管路４０の蒸気トラップ７６を降圧管路５０の蒸気トラップとして利用することができるため、降圧管路５０に蒸気トラップを設ける必要がない。そのため、管路の構成を簡略化することが可能である。
【００５７】
［第２の実施の形態］
図３は、第２の実施の形態のオートクレーブの要部を示す系統図である。
【００５８】
第２の実施の形態のオートクレーブは、共通管路６０と排水管路４０の排出部７０及び降圧管路５０の排出部８０との分岐部６５に気液分離部９５を設けている他は、全て第１の実施の形態と同様に構成されている。
【００５９】
気液分離部９５は、周囲が気密に囲まれた中空体からなる外側流路９６と、外側流路９６内に配置された中空体からなる内側流路９７とを備え、内側流路９７は、側面及び底面が気密に囲まれて断面略コ字状に形成された上部開口を有する上部開口体９８と、多数の微細な貫通孔を備えて上部開口体９８の上部開口を覆う気液仕切板９９とを備える。
【００６０】
この気液分離部９５では、ドレン水及び加圧蒸気が移送される共通管路６０が外側流路９６に接続され、排水管路４０の排出部７０が外側流路９６の共通管路６０から離間した位置に接続され、降圧管路５０の排出部８０が内側流路９７に接続されている。
【００６１】
このような気液分離部９５では、共通管路６０からドレン水及び蒸気が外側流路９６に流入すると、ドレン水はそのまま外側流路９６を流動し、排水管路４０の排出部７０に流下する。一方、蒸気は、外側流路９６を流動する過程で気液仕切板９９により分離され、内側流路９７に流入し、内側流路９７から降圧管路５０の排出部８０へ流下する。そのため、共通管路６０からのドレン水及び蒸気が気液分離され、それぞれを別々の管路に流出させることができる。
【００６２】
このような気液分離部９５を有するオートクレーブであっても、第１の実施の形態と同様の作用効果を得ることが可能である。
【００６３】
特に、分岐部６５に気液分離部９５を備えているので、ドレン水及び蒸気を気液分離部９５でドレン水と蒸気とに確実に分離でき、排出部８０に蒸気トラップを設けなくても、降圧管路５０の排出部８０に蒸気を確実に排出することが可能で、管路の構成を簡略化できる。
【００６４】
［第３の実施の形態］
図４は、第３の実施の形態のオートクレーブの要部を示す系統図である。
第３の実施の形態のオートクレーブは、共通管路６０の複数の部分共通管路６１が、缶体１０の底部の複数位置に均等に開口している他は、第１の実施の形態と同様の構成を有している。ここで、均等に開口するとは、例えば、隣接する部分共通管路６１の開口６２同士の間隔がそれぞれ等しくなるように開口６２が設けられていること、複数の部分共通管路６１の開口６２が缶体１０の底部全体に略一定の密度で設けられていることなどが含まれる。
【００６５】
このようなオートクレーブであっても、第１の実施の形態と同様の作用効果を得ることが可能である。
【００６６】
特に、複数の部分共通管路６１が缶体１０の底部の複数位置に均等に開口しているので、缶体１０内のドレン水及び蒸気を底部の広い範囲から排出することができ、排出後に缶体１０の底部に残留するドレン水や、缶体１０の底部側に存在する低温の湿潤蒸気をより多く排出することが可能である。
【図面の簡単な説明】
【００６７】
【図１】本発明に係る第１の実施の形態のオートクレーブを示す系統図である。
【図２】缶体の断面図である。
【図３】本発明に係る第２の実施の形態のオートクレーブの要部を示す系統図である。
【図４】本発明に係る第３の実施の形態のオートクレーブの要部を示す系統図である。
【図５】従来のオートクレーブを示す系統図である。
【図６】従来の他のオートクレーブを示す系統図である。
【符号の説明】
【００６８】
１０  缶体
１１  処理対象物
１５  蓋体
２０  真空ポンプ
３０  水蒸気供給装置
４０  排水管路
５０  降圧管路
６０  共通管路
７０、８０  排出部
７５、８５  電磁弁
９０  消音水槽
【図１】
2009241027.tif 000003
【図２】
2009241027.tif 000004
【図３】
2009241027.tif 000005
【図４】
2009241027.tif 000006
【図５】
2009241027.tif 000007
【図６】
2009241027.tif 000008